(57)【要約】【課題】車両内の設置対象の嵌め込み部に嵌め込まれる車載装置および枠部材について、車室の高級感が損なわれないようにした「車載装置および枠部材」を提供する。【解決手段】車載用ディスプレイ１の筐体５の前面５ａの外枠領域９に、車内カバー６において嵌め込み部４の外縁に至る部分に形成された縫い目７に連続するようにステッチ柄１１が描画される。ステッチ柄１１は、透明材料が堆積した描画層１３および背景色の背景層１４が筐体５の前面５ａから奥へ向かって積層されると共に、描画層１３の内部に着色材料によってステッチ柄１１の像が形成されることによって描画され、また、描画層１３において、ステッチ柄１１の像と背景層１４との間に相当する部分には、透明材料のみが堆積したクリア層１７が形成される。これにより、立体感をもって表現されたステッチ柄１１によって、縫い目７が嵌め込み部４で断絶しないようにしている。【選択図】図３
2020189600.tif 000002
【特許請求の範囲】
【請求項１】
車両内の設置対象の表面と筐体の前面とが同一面となるように、前記設置対象に形成された嵌め込み部に前記筐体が嵌め込まれる車載装置であって、
前記筐体の前面内で中央部の領域の外側に形成された外枠領域に、前記設置対象を覆う車内カバーにおいて前記嵌め込み部の外縁に至る部分に形成された縫い目に連続するようにステッチ柄が描画され、
前記ステッチ柄は、透明材料が堆積した描画層および背景色の背景層が前記筐体の前面から奥へ向かって積層されると共に、前記描画層の内部に着色材料によって前記ステッチ柄の像が形成されることによって描画され、
前記描画層において、前記ステッチ柄の像と前記背景層との間に相当する部分には、前記透明材料のみが堆積したクリア層が形成される
ことを特徴とする車載装置。
【請求項２】
前記縫い目の状態に応じて、前記クリア層の奥行きの大きさを調整したことを特徴とする請求項１に記載の車載装置。
【請求項３】
前記縫い目の凹凸が大きいほど、前記クリア層の奥行きの大きさを大きくしたことを特徴とする請求項２に記載の車載装置。
【請求項４】
前記筐体の前面を覆う透明カバーの奥側の全域に前記描画層が形成され、前記描画層の奥側の前記外枠領域に前記背景層が形成されることを特徴とする請求項１から３の何れか１項に記載の車載装置。
【請求項５】
前記筐体の前面を覆う透明カバーの奥側の前記外枠領域に前記描画層が形成され、前記外枠領域に形成された前記描画層の奥側の全域に前記背景層が形成されることを特徴とする請求項１から３の何れか１項に記載の車載装置。
【請求項６】
車両内の設置対象の表面と本体の前面とが同一面となるように、前記設置対象に形成された嵌め込み部に前記本体が嵌め込まれる枠部材であって、
前記本体の前面に、前記設置対象を覆う車内カバーにおいて前記嵌め込み部の外縁に至る部分に形成された縫い目に連続するようにステッチ柄が描画され、
前記ステッチ柄は、透明材料が堆積した描画層および背景色の背景層が前記本体の前面から奥へ向かって積層されると共に、前記描画層の内部に着色材料によって前記ステッチ柄の像が形成されることによって描画され、
前記描画層において、前記ステッチ柄の像と前記背景層との間に相当する部分には、前記透明材料のみが堆積したクリア層が形成される
ことを特徴とする枠部材。
【請求項７】
前記縫い目の状態に応じて、前記クリア層の奥行きの大きさを調整したことを特徴とする請求項６に記載の枠部材。
【請求項８】
前記縫い目の凹凸が大きいほど、前記クリア層の奥行きの大きさを大きくしたことを特徴とする請求項７に記載の枠部材。
【発明の詳細な説明】
【技術分野】
【０００１】
本発明は、車載装置および枠部材に関し、特に、ダッシュボード等の車両内の設置対象に嵌め込まれる車載装置および枠部材に用いて好適なものである。
【背景技術】
【０００２】
従来、車両内のダッシュボード等の設置対象に形成された嵌め込み部に、その設置対象の表面と筐体の前面とが同一面となるように嵌め込まれて使用される車載装置が広く普及している。車載装置の一例は、映像を表示する表示部を有する車載用ディスプレイである。このような態様で車載装置が車両内に設置されることにより、例えば車載装置がダッシュボードの上面で専用の支持部材に支持される場合と比較して、車両と車載装置とに一体感が生まれ、車室に高級感が演出される。
【０００３】
また、近年、ダッシュボード等が車内カバー（例えば、革製のカバー）により覆われている車両が多く存在する。これは、多くの場合、車室に高級感を演出するためになされるものであり、被覆対象の全域がその形状に沿って車内カバーに覆われるように適宜、縫い合わせられる。
【０００４】
なお、車載装置の前面において中央部の領域の外側に外枠領域が形成されている場合があり、この外枠領域には固定的な図柄を描画することができる。そして、外枠領域に図柄を描画する場合、特許文献１や特許文献２に記載された技術を利用可能である。特許文献１では、前面側から奥へ向かって、透明基板層１０、着色されたインクにより図柄が表現された図象表現層２０、光反射性インクにより印刷された遮光性下地層４０および不透明な着色インク等からなる裏打ち層５０が積層されることによって図柄が描画される。また、特許文献２では、前面側から奥へ向かって、内部に着色模様４が形成された透明樹脂層３、光反射性を有する光反射層２、基材シート１が積層されることによって図柄が描画される。
【先行技術文献】
【特許文献】
【０００５】
【特許文献１】特開２００５−２２５１３５号公報
【特許文献１】特開平２−２２００号公報
【発明の概要】
【発明が解決しようとする課題】
【０００６】
車載装置が設置される対象となるダッシュボード等の設置対象が車内カバーで覆われ、適所に縫い目が形成されている場合、車載装置が嵌め込み部に嵌め込まれたときに、嵌め込み部においてその縫い目が断絶する場合があり、そのことが見た目の違和感となって、せっかく車載装置を面一となるように嵌め込み、更に設置対象をカバーで覆って高級感を演出しているのに、高級感が損なわれてしまうことがあった。以上のことは、枠部材とこの枠部材の内側に嵌め込まれるメイン装置とからなる装置が、嵌め込み部に嵌め込まれる場合についても同様である。なお、枠部材にメイン装置が取り付けられることによって構成される装置が存在し、このような装置については、枠部材を独立して嵌め込み部に嵌め込むことが可能である。
【０００７】
本発明は、このような問題を解決するために成されたものであり、車両内の設置対象の嵌め込み部に嵌め込まれる車載装置および枠部材について、車室の高級感が損なわれないようにすることを目的とする。
【課題を解決するための手段】
【０００８】
上記した課題を解決するために、本発明では、車載装置について、筐体の前面内で中央部の領域の外側に形成された外枠領域に、設置対象を覆う車内カバーにおいて嵌め込み部の外縁に至る部分に形成された縫い目に連続するようにステッチ柄を描画するようにしている。そして、透明材料が堆積した描画層および背景色の背景層を筐体の前面から奥へ向かって積層すると共に、描画層の内部に着色材料によってステッチ柄の像を形成することによってステッチ柄を描画し、また、描画層において、ステッチ柄の像と背景層との間に相当する部分に、透明材料のみが堆積したクリア層を形成するようにしている。
【０００９】
また、本発明では、枠部材について、本体の前面に、設置対象を覆う車内カバーにおいて嵌め込み部の外縁に至る部分に形成された縫い目に連続するようにステッチ柄を描画するようにしている。そして、透明材料が堆積した描画層および背景色の背景層を本体の前面から奥へ向かって積層すると共に、描画層の内部に着色材料によってステッチ柄の像を形成することによってステッチ柄を描画し、描画層において、ステッチ柄の像と背景層との間に相当する部分に、透明材料のみが堆積したクリア層を形成するようにしている。
【発明の効果】
【００１０】
上記のように構成した本発明によれば、車載装置の前面の外枠領域に、嵌め込み部の外縁に至る縫い目に連続するようにステッチ柄が描画されるため、嵌め込み部において縫い目が断絶しているとの見た目の印象が緩和され、その点で高級感が損なわれることを抑制できる。更に、ステッチ柄の像は、透明材料が堆積した描画層において、背景から前面側に向かってクリア層分の距離をおいた位置に形成される。このため、ステッチ柄が、背景から浮かび上がった立体的な図柄として表現され、平面的な印刷物との印象ではなく、立体的な造形物との印象を見る者に対して与え、物理的な凹凸を持つ縫い目と違和感なく連続し、その点でも車室の高級感が損なわれることを抑制できる。以上のことは枠部材についても同様である。
【図面の簡単な説明】
【００１１】
【図１】車室の一例を示す図である。
【図２】図１の車室において、車載用ディスプレイが設けられた部位を正面から見た図である。
【図３】図２のＡ−Ａ断面図である。
【図４】第１態様および第２態様のそれぞれについての図２のＢ−Ｂ断面図である。
【図５】嵌め込み部、枠部材およびメイン装置の一例を示す図である。
【図６】枠部材が嵌め込み部に嵌め込まれた様子を正面から見た図である。
【図７】描画層における絵柄層とクリア層との関係の変形例を示す図である。
【発明を実施するための形態】
【００１２】
＜第１実施形態＞
以下、本発明の第１実施形態を図面に基づいて説明する。図１は、本実施形態に係る車載用ディスプレイ１（特許請求の範囲の「車載装置」に相当）が設けられた車室２の一例を示す図である。本実施形態に係る車載用ディスプレイ１は、車両内のダッシュボード３（特許請求の範囲の「設置対象」に相当）に以下の態様で設置される。すなわち、ダッシュボード３の中央部には、車載用ディスプレイ１の形状に対応した溝を有する嵌め込み部４が形成されている。車載用ディスプレイ１は、ダッシュボード３の表面と筐体５の前面５ａとが同一面となるように、その筐体５が嵌め込み部４に嵌め込まれることによってダッシュボード３に設置される。ダッシュボード３において、少なくとも嵌め込み部４を囲む領域には革製の車内カバー６が被覆されており、車内カバー６には、適所に縫い目７が形成されている。
【００１３】
図２は、図１の車室２において、車載用ディスプレイ１が設けられた部位を正面から見た図である。図２を用いた説明では、図中で矢印により示すように、便宜的に図中で左に向かう向きを「左」とし、図中で右に向かう向きを「右」とする。図２に示すように、車内カバー６に形成された縫い目７の一部は、嵌め込み部４の外縁に至っている。詳述すると、図２において、嵌め込み部４の左側に形成されている縫い目７Ｌは、左右方向に延在し、その右側の端部が、嵌め込み部４の外縁の左辺と位置ＰＬで交わっている。また、嵌め込み部４の右側の縫い目７Ｒは、左右方向に延在し、その左側の端部が、嵌め込み部４の外縁の右辺と位置ＰＲで交わっている。
【００１４】
図２に示すように、車載用ディスプレイ１の筐体５の前面５ａには、映像が表示される最大の領域である映像表示領域８（特許請求の範囲の「筐体の前面内の中央部の領域」に相当）が形成されている。更に、前面５ａにおいて映像表示領域８の外側には、映像表示領域８を取り囲む枠状の外枠領域９が形成されている。この外枠領域９に図柄を描画しても車載用ディスプレイ１により表示される映像に影響を与えないため、この外枠領域９には固定的な図柄を描画することができる。
【００１５】
図２に示すように、外枠領域９において上側の枠には、ステッチ柄１１が描画されている。このステッチ柄１１は、縫い目７Ｌおよび縫い目７Ｒの双方に連続するように描画されている。より詳細には、ステッチ柄１１は、その一端が縫い目７Ｌの端部の位置ＰＬに連続し、その他端が縫い目７Ｒの端部の位置ＰＲに連続し、縫い目７Ｌの端部と縫い目７Ｒの端部とを結ぶように、外枠領域９の上側の枠内を左右方向に延在して描画されている。
【００１６】
このような態様でステッチ柄１１が描画されているため、以下の効果を奏する。すなわち、仮にステッチ柄１１が描画されていない場合、嵌め込み部４において縫い目７が断絶した状態となり、そのことが見た目の違和感となって、車載用ディスプレイ１とダッシュボード３との一体感が阻害され、車室２の高級感が損なわれる可能性がある。一方で、上記態様でステッチ柄１１が描画されることにより、縫い目７Ｌと縫い目７Ｒとが車載用ディスプレイ１によって断絶されることなく、一連の縫い目７として連続しているような印象となり、車載用ディスプレイ１とダッシュボード３との一体感が演出され、車室２の高級感が損なわれることが抑制される。
【００１７】
ステッチ柄１１は以下の態様で描画されている。図３は、ステッチ柄１１が描画された態様を説明するため、図２のＡ−Ａの位置を、筐体５の前面５ａから所定量だけ奥へ向かって切断した断面図である。図３では、複数の層（詳細は後述）を明示しているが、説明の便宜を考慮して、各層の奥行きの大きさの比を実際の比と異ならせている。ただし、以下において適宜、各層の具体的な大きさを例示する。
【００１８】
図３において、符号１２は、透明カバーである。透明カバー１２は、ガラス板や透明の合成樹脂板等の、透明な板状の部材である。透明カバー１２は、映像表示領域８および外枠領域９の双方を含む領域に延在している。透明カバー１２の前面側にタッチセンサーを設ける構成でもよい。透明カバー１２の奥行きの大きさは、数ｍｍ（例えば、１ｍｍ〜２ｍｍ）程度である。図３に示すように、透明カバー１２の奥側には描画層１３が層として形成され、この描画層１３の奥側には背景層１４が層として形成され、この背景層１４の奥側には押さえ層１５が層として形成されている。
【００１９】
背景層１４は、外枠領域９の背景となる層であり、背景色（例えば、黒色や灰色）の物質により構成される。背景層１４は、外枠領域９の全域に延在する一方、映像表示領域８には延在しない。背景層１４は例えば、背景色のインクが堆積することによって構成され、また例えば合成樹脂シート等のシートによって構成される。背景層１４の奥行きの大きさは、数十μｍ（例えば、２０μｍ）程度である。
【００２０】
押さえ層１５は、透明カバー１２を支持する枠状の部材からなる層である。押さえ層１５は、外枠領域９に延在する一方、映像表示領域８には延在しない。透明カバー１２は、押さえ層１５に対応する枠状の部材に対して所定の手段で固定され、この枠状の部材に支持される。
【００２１】
描画層１３は基本的には、透明材料（例えば、透明なインク）が堆積されることによって構成される。一方、図３に示すように、外枠領域９においてステッチ柄１１が描画される範囲では、描画層１３内で、透明カバー１２の奥側に絵柄層１６が形成され、この絵柄層１６の奥側にクリア層１７が形成される。絵柄層１６は、透明材料の内部に、ステッチ柄１１の色で着色された着色材料（例えば、着色されたインク）によりステッチ柄１１の像であるステッチ柄像１１ａが形成された層である。クリア層１７は、透明材料のみが堆積した層である。このように、描画層１３において、ステッチ柄像１１ａと背景層１４との間に相当する部分には、透明材料のみが堆積したクリア層１７が形成されている。描画層１３の奥行きの大きさは、数十μｍ（例えば、２０μｍ）程度である。
【００２２】
以上のように、本実施形態では、ステッチ柄１１は、透明材料が堆積した描画層１３および背景色の背景層１４が筐体５の前面５ａから奥へ向かって積層されると共に、描画層１３の内部に着色材料によってステッチ柄像１１ａが形成されることによって描画される。そして、描画層１３において、ステッチ柄像１１ａと背景層１４との間に相当する部分には、透明材料のみが堆積したクリア層１７が形成される。このようにしてステッチ柄１１が描画されるため、以下の効果を奏する。
【００２３】
すなわち、ステッチ柄像１１ａが、透明材料が堆積した描画層１３において、背景から前面５ａ側に向かってクリア層１７分の距離をおいた位置に形成されることになる。このため、ステッチ柄１１は、背景から浮かび上がった立体的な図柄として表現され、平面的な印刷物との印象ではなく、立体的な造形物との印象を見る者に対して与える。これにより、物理的な凹凸を持つ縫い目７と違和感なく連続し、その点でも車室の高級感が損なわれることを抑制できる。
【００２４】
本実施形態では、縫い目７の状態に応じて、クリア層１７の奥行きの大きさが調整される。特に本実施形態では、縫い目７の凹凸が大きいほど、クリア層１７の奥行きの大きさが大きくされる。縫い目７の凹凸とは、縫い目７の縫い糸部分の膨らみや、車内カバー６が縫い糸によって抑えつけられることによって発生する凹み等に起因して発生する、車内カバー６の縫い目７部分の物理的な凹凸のことである。通常、縫い目７を形成する縫い糸が太いほど縫い目７の凹凸が大きくなり、また、縫い目７において縫い糸が強く縫い付けられているほど縫い目７の凹凸は大きくなる。
【００２５】
縫い目７の凹凸が大きいほど、クリア層１７の奥行きの大きさが大きくされることにより以下の効果を奏する。すなわち、クリア層１７の奥行きの大きさが大きいほど、ステッチ柄像１１ａと背景との間の距離が離間し、ステッチ柄１１について立体感が増して表現されることになる。これを踏まえ、上記構成によれば、縫い目７の物理的な凹凸が大きく、縫い目７の立体感が大きいほど、ステッチ柄１１の立体感が大きくなり、縫い目７とステッチ柄１１とがより違和感なく連続し、より効果的に車室の高級感が損なわれることを抑制できる。
【００２６】
本実施形態では、描画層１３および背景層１４は以下の第１態様と第２態様との何れかの態様で形成される。図４（Ａ）は、第１態様で描画層１３および背景層１４が形成されている場合の図２のＢ−Ｂ断面図（ただし、透明カバー１２、描画層１３および背景層１４の部分のみの断面図）である。図４（Ａ）に示すように、第１態様では、描画層１３は、筐体５の前面５ａを覆う透明カバー１２の奥側の全域に形成される。そして、背景層１４は、描画層１３の奥側の外枠領域９に形成される。この第１態様によれば、透明カバー１２の奥側において、描画層１３および背景層１４に起因して生じる映像表示領域８と外枠領域９との段差Ｌ（押さえ層１５の部位を除く段差）の大きさを、第２態様の場合と比較して小さくすることができる。
【００２７】
図４（Ｂ）は、第２態様で描画層１３および背景層１４が形成されている場合の図２のＢ−Ｂ断面図（ただし、透明カバー１２、描画層１３および背景層１４の部分のみの断面図）である。図４（Ｂ）に示すように、第２態様では、描画層１３は、筐体５の前面５ａを覆う透明カバー１２の奥側の外枠領域９に形成される。そして、背景層１４は、描画層１３の奥側の全域（つまり外枠領域９）に形成される。この第２態様によれば、段差Ｌの大きさは、第１態様の場合と比較して大きくなるものの、使用する透明材料の量を少なくすることができる。
【００２８】
＜第２実施形態＞
次に、第２実施形態について説明する。以下の第２実施形態の説明において、第１実施形態と同一の要素については同一の符号を付し、その説明を省略する。上述した第１実施形態では、嵌め込み部４に嵌め込まれると共に、ステッチ柄１１が描画される対象は車載用ディスプレイ１であった。一方で、本実施形態では、嵌め込み部４に嵌め込まれ、ステッチ柄１１が描画される対象は枠部材２０である。ここで、車両に搭載される装置では、枠状の枠部材２０の枠内にメイン装置２２が嵌め込まれて構成されるものがある。そして、このような装置が嵌め込み部４に嵌め込まれて使用される場合がある。図５は、嵌め込み部４、枠部材２０およびメイン装置２２の単純化した一例を模式的に示す図である。図５では、嵌め込み部４から枠部材２０が取り外されており、かつ、枠部材２０からメイン装置２２が取り外された状態である。なお、図５では、枠部材２０にステッチ柄は描画されていない。
【００２９】
図６は、本実施形態に係る枠部材２０が嵌め込み部４に嵌め込まれた様子を正面から見た図である。図６に示すように、本実施形態では、縫い目７に連続するステッチ柄１１Ａが枠部材２０に描画される。ステッチ柄１１Ａが枠部材２０に描画されるときの態様は、第１実施形態と同様である。簡単に説明すると、枠部材２０の本体２１の前面２１ａに、車内カバー６において嵌め込み部４の外縁に至る部分に形成された縫い目７に連続するようにステッチ柄１１Ａが描画される。ステッチ柄１１Ａは、透明材料が堆積した描画層１３および背景色の背景層１４が本体２１の前面２１ａから奥へ向かって積層されると共に、描画層１３の内部に着色材料によってステッチ柄１１Ａの像が形成されることによって描画される。そして、描画層１３において、ステッチ柄１１Ａの像と背景層１４との間に相当する部分には、透明材料のみが堆積したクリア層１７が形成される。また、本実施形態では、第１実施形態と同様、縫い目７の凹凸が大きいほど、クリア層１７の奥行きの大きさが大きくされる。
【００３０】
本実施形態についても、第１実施形態と同様の理由により、枠部材２０に描画されたステッチ柄１１Ａの機能により、室内の高級感が損なわれることを防止できる。
【００３１】
以上、本発明の実施形態を２つ説明したが、上述した各実施形態は何れも、本発明を実施するにあたっての具体化の一例を示したものに過ぎず、これによって本発明の技術的範囲が限定的に解釈されてはならないものである。すなわち、本発明はその要旨またはその主要な特徴から逸脱することなく、様々な形で実施することができる。
【００３２】
例えば、第１実施形態では、描画層１３内で、透明カバー１２の奥側に絵柄層１６が形成され、この絵柄層１６の奥側にクリア層１７が形成されていた。つまり、描画層１３は、絵柄層１６と、この絵柄層１６の奥側に形成されたクリア層１７の２つの層により構成されていた。この点に関し、図７に示すように、描画層１３内で、透明カバー１２の奥側に、透明材料のみが堆積してなる前面側層２３が形成され、この前面側層２３の奥側に絵柄層１６が形成され、この絵柄層１６の奥側にクリア層１７が形成される構成でもよい。このような構成であっても、背景からクリア層１７を挟んで離間した位置にステッチ柄１１の像が形成されることになり、第１実施形態と同様の効果を奏する。以上のことは第２実施形態についても同様である。
【００３３】
また、第１実施形態では、縫い目７の状態に応じて、クリア層１７の奥行きの大きさを調整する点に関し、縫い目７の凹凸が大きいほど、クリア層１７の奥行きの大きさを大きくした。しかしながら、縫い目７の状態に応じてクリア層１７の奥行きの大きさを調整する手法は、第１実施形態で例示した手法に限られない。一例として、縫い糸の色とクリア層１７の奥行きの大きさとに所定の関係（例えば、縫い糸の色が白系の色の場合は、縫い糸の色が黒系の色の場合よりもクリア層１７の奥行きを大きくした方が縫い目７とステッチ柄１１とに一体感がでる等）がある場合には、縫い糸の色によってクリア層１７の奥行きの大きさを調整する構成でもよい。また、縫い目７には様々な種類（並縫いの縫い目や、ぐし縫いの縫い目等）があり、縫い目７の種類とクリア層１７の奥行きの大きさとに所定の関係（例えば、縫い目７が種類Ａの場合は、縫い目７が種類Ｂの場合よりもクリア層１７の奥行きを大きくした方が縫い目７とステッチ柄１１とに一体感がでる等）がある場合には、縫い目７の種類によってクリア層１７の奥行きの大きさを調整する構成でもよい。以上のことは第２実施形態についても同様である。
【００３４】
また、第１実施形態では、ダッシュボード３に嵌め込み部４が形成されていたが、車内において嵌め込み部４が形成される設置対象はダッシュボード３に限られない。例えば、メーターパネルであってもよい。以上のことは第２実施形態についても同様である。
【００３５】
また、第１実施形態では、車載用ディスプレイ１にステッチ柄１１が描画されていた。しかしながら、ステッチ柄１１が描画される対象となる車載装置は、車載用ディスプレイ１に限られない。例えば、オーディオ装置や、放送受信装置であってもよい。
【００３６】
また、第１実施形態では、ステッチ柄１１を正面から見たときの様子の一例を示したが、ステッチ柄１１を正面から見たときの具体的な態様は、縫い目７の形状や、縫い目７と嵌め込み部４との交点の位置等に応じて適宜設計されるべきものであり、第１実施形態で例示した態様に限定されるものではない。以上のことは第２実施形態についても同様である。
【符号の説明】
【００３７】
１  車載用ディスプレイ（車載装置）
３  ダッシュボード（設置対象）
４  嵌め込み部
５  筐体
５ａ  前面（筐体の前面）
６  車内カバー
７、７Ｌ、７Ｒ  縫い目
８  映像表示領域（筐体の前面の中央部の領域）
９  外枠領域
１１、１１Ａ  ステッチ柄
１１ａ  ステッチ柄像（ステッチ柄の像）
１２  透明カバー
１３  描画層
１４  背景層
１７  クリア層
２０  枠部材
２１  本体
２１ａ  前面（本体の前面）
【図１】
2020189600.tif 000003
【図２】
2020189600.tif 000004
【図３】
2020189600.tif 000005
【図４】
2020189600.tif 000006
【図５】
2020189600.tif 000007
【図６】
2020189600.tif 000008
【図７】
2020189600.tif 000009